【事件の表示】
　特許第２９６０４４５号「エアゾール用組成物」の請求項１ないし５に係る特許に対する特許異議の申立てについて、次のとおり決定する。
【結　論】
　訂正を認める。
　特許第２９６０４４５号の請求項１ないし４に係る特許を維持する。
【理　由】
１．手続の経緯
　本件特許第２９６０４４５号は、特許法第４１条に基づく優先権主張を伴って、平成１年１１月８日（優先日昭和６３年１２月２８日）に出願され、平成１１年７月３０日にその特許の設定登録がされ、その後、廣戸健太郎より特許異議の申立てがされ、平成１２年９月７日付けで取消理由が通知され、特許異議意見書が提出され、平成１２年１２月１３日付けで再度の取消理由が通知され、その指定期間内である平成１３年２月２６日に訂正請求がされたものである。
２．訂正の適否についての判断
（１）訂正の内容
（ａ）特許請求の範囲の記載について、請求項２を削除する。
（ｂ）請求項４の記載について、「請求項３に記載」とあるのを「請求項２に記載」と訂正すると共に、請求項３ないし５を順次繰り上げて、請求項２ないし４と訂正する。
（２）訂正の目的の適否、新規事項の有無及び拡張・変更の存否
　上記訂正（ａ）は、請求項を削除するものであるから、特許請求の範囲の減縮を目的とするものであり、また、（ｂ）は、（ａ）の訂正に関連し、特許請求の範囲の整合をとるべく訂正したものであるから、明りょうでない記載の釈明である。しかも上記訂正（ａ）、（ｂ）は、新規事項を追加せず、実質上特許請求の範囲を拡張し、又は変更するものでもない。
（３）むすび
　上記訂正は、特許法第１２０条の４第３項で準用する平成６年法改正前の特許法第１２６条第１項ただし書及び第２項の規定に適合するので、当該訂正を認める。
３．本件発明
　上記２．で示したように上記訂正が認められるから、本件請求項１ないし４に係る発明（以下、「本件発明１ないし４」という。）は、上記訂正請求に係る訂正明細書の特許請求の範囲の請求項１ないし４に記載された次のとおりのものである。
「［請求項１］エアゾール用含水原液とエアゾール用噴射剤とからなるエアゾール用組成物であって、水を５０重量％以上含むエアゾール用含水原液５〜３５重量％と、沸点が５℃以下のエアゾール用噴射剤又はエアゾール用噴射剤と噴射助剤の混合物６５〜９５重量％とからなり、該沸点が５℃以下のエアゾール用噴射剤がジメチルエーテル、プロパン、イソブタン、ノルマルブタンまたはこれらの混合物であり、該エアゾール用噴射剤又は該エアゾ−ル用噴射剤と噴射助剤の混合物の一部あるいはほとんど全部が該エアゾール用含水原液に乳化あるいは分散されており、塗布面に霧状で噴射したとき、噴射剤の気化熱によって冷却された含水原液の一部又はほとんど全部が塗布面上に氷結状あるいは積雪状に付着する、エアゾール用組成物。
［請求項２］噴射助剤が、沸点が５℃を越える比較的低沸点の溶剤であることを特徴とする請求項１に記載のエアゾール用組成物。
［請求項３］噴射助剤がイソペンタン、ノルマルペンタン、ヘキサン、又はこれらの混合物であることを特徴とする請求項２に記載のエアゾール用組成物。
［請求項４］エアゾール用含水原液が、４０％以下のアルコールを含有することを特徴とする請求項１に記載のエアゾール用組成物。」
４．申立ての理由の概要
　申立人廣戸健太郎は、（１）証拠として甲第１号証（ＰＣＴ／ＪＰ９０／００３５０（国際公開第９０／１１０６８号パンフレット））及び甲第１号証の出願で優先権主張の基礎とする出願である甲第１’号証（特願平１−６３７６８号明細書）を提出し、訂正前の本件の請求項１ないし５の発明に係る特許は、特許法第２９条の２の規定に違反してなされたものである。
　また、（２）甲第２号証（特開昭６２−５４７８４号公報）を提出し、訂正前の本件の請求項１ないし５の発明に係る特許は、特許法第２９条第２項の規定に違反してなされたものである。
　さらに、（３）本件特許明細書は、特許法第３６条第４項の規定を満たしていない。
　よって、訂正前の本件の請求項１ないし５の発明に係る特許を取り消すべき旨主張している。
５．引用刊行物等記載の発明
　当審が通知した取消理由に引用された出願（ＰＣＴ／ＪＰ９０／００３５０（国際公開第９０／１１０６８号パンフレット））（申立人が提出した甲第１号証）は、平成２年３月１６日（優先権主張１９８９年３月１７日、日本国）を国際出願日とする出願であって、その出願の明細書には、「（Ａ）液化石油ガス、ジメチルエーテルまたはそれらの混合ガスからなり、その蒸気圧が２０℃で２〜５ｋｇ／ｃｍ２である噴射剤および（Ｂ）水と、それと等重量以下の低級アルコールの混合液または水からなる原液からなり、（Ａ）と（Ｂ）の重量比が９５：５〜５０：５０である外用エアゾール剤。」（請求の範囲）と記載されている。
　刊行物２（特開昭６２−５４７８４号公報、甲第２号証）には、
「１　エタノールおよび／またはイソプロピルアルコール３〜６０重量％水溶液１００重量部に対して界面活性剤０．０１〜１０重量部および／または粉末０．１〜５０重量部と、有効成分０．１〜５０重量部とを添加してなる原液２〜３０重量部とジクロロテトラフルオロエタンを主成分とする噴射剤７０〜９８重量部とからなるエアゾール組成物。
２　泡状または霧状に噴射したときに破泡によってパチパチと音をたてるフォームを形成する特許請求の範囲第１項記載のエアゾール組成物。」（特許請求の範囲）、「本発明で用いる界面活性剤は原液と噴射剤とを均一に分散させるための成分である・・・」（第２頁左下欄６〜７行）と記載されている。
６．対比・判断
（１）特許法第２９条の２違反について
　訂正後の本件発明１ないし４が、本件出願の国内優先権主張の基礎とされた出願である特願昭６３−３２９１４６号の願書に最初に添付された明細書（以下「本件基礎出願明細書」という。）に記載されているかどうかについて検討する。
　本件基礎出願明細書の特許請求の範囲には次のとおり記載されている。
「１．エアゾール用含水原液とエアゾール用噴射剤からなるエアゾール組成物であって、泡状、泡沫状あるいは霧状に噴射したとき、噴射剤の気化熱によって原液が冷却され、その一部またはほとんど全部が塗布面上に氷結状あるいは積雪状に付着する性状を有することを特徴とするエアゾール用組成物。
２．水を５０重量％以上含むエアゾール用含水原液を５〜３５重量％と、沸点が５℃以下の噴射剤を５〜１００重量％含むエアゾール用噴射剤又は噴射剤と噴射助剤の混合物６５〜９５重量％からなり、該噴射剤又は該混合物の一部あるいはほとんど全部を前記エアゾール用含水原液に乳化あるいは分散させたことを特徴とする請求項１記載のエアゾール用組成物。
３．沸点が５℃以下の噴射剤がジクロロジフルオロメタン、ジフルオロモノクロロエタン、モノクロロジフルオロメタン、ジクロロテトラフルオロエタン、テトラフルオロエタン、ジメチルエーテル又は液化石油ガスであり、噴射助剤がトリクロロトリフルオロエタン、トリクロロモノフルオロメタン、ジクロロトリフルオロエタン、イソペンタン、ノルマルペンタン、ヘキサン又はこれらの混合物であることを特徴とする請求項２記載のエアゾール組成物。」
　また、本件基礎出願明細書の詳細な説明には、「上記の沸点が５℃以下の噴射剤としては、ジクロロジフルオロメタン（Ｆ１２）、ジフルオロモノクロロエタン（Ｆ１４２ｂ）、モノクロロジフルオロメタン（Ｆ２２）、ジクロロテトラフルオロエタン（Ｆ１１４）、テトラフルオロエタン（Ｆ１３４ａ）、ジメチルエーテル（ＤＭＥ）又は液化石油ガス（ＬＰＧ）（プロパン、イソブタン、ｎ−ブタンを主成分とする）等が例示される。」（第４頁第１７行〜第５頁第４行）、一液状の乳化（分散）状態をこわさない範囲で一部の噴射剤を他の噴射剤で置き換え（混合）可能である旨（第５頁１１行〜第７頁末行）記載されている。
　そこで、本件発明１が本件基礎出願明細書に記載されているかについて検討する。
　本件基礎出願明細書の請求項２には、エアゾール含水原液が水を５０重量％以上含むこと、当該含水原液と、沸点が５℃以下のエアゾール用噴射剤又は当該噴射剤と噴射助剤の混合物の比率が５〜３５重量％対６５〜９５重量％であること、当該噴射剤又は当該混合物の一部あるいはほとんど全部を当該エアゾール用含水原液に乳化あるいは分散させることが記載されており、また、その請求項３には、当該沸点が５℃以下の噴射剤がジメチルエーテル又は液化石油ガスであることが記載され、さらに、その請求項１には、当該エアゾール用組成物を霧状に噴射したとき、噴射剤の気化熱によって冷却された含水原液の一部又はほとんど全部が塗布面上に氷結状或いは積雪状に付着すること、液化石油ガス（ＬＰＧ）がプロパン、イソブタン、ｎ‐ブタンを主成分とすること（第５頁２〜３行）、噴射剤は単独でも複数混合でも良いこと（第５頁１１行〜第７頁末行）が記載されている。
　してみると、本件発明１の構成は、本件基礎出願明細書にすべて記載されているものと認められる。
　次に、本件発明２ないし４が本件基礎出願明細書に記載されているかについて検討する。
　当該明細書の第５頁５〜１０行に、「噴射助剤とは沸点が５℃を越える比較的低沸点の溶剤を意味し、具体的には・・・イソペンタン、ノルマルペンタン、ヘキサン、又はこれらの混合物が例示される。」と記載され、また、同第８頁９〜１４行に「原液には、アルコールを用いても用いなくても良いが、・・・アルコールを添加するとよい。その場合アルコール１０〜４０重量％水溶液を用いるのが特に好ましい。」と記載されている。
　上記のとおり、噴射助剤あるいはアルコール濃度を具体化した本件発明２ないし４は、本件基礎出願明細書に記載されている。
　なお、本件出願時に実施例として、処方例６〜８を補充しているが、これにより、実質的に本件基礎出願明細書に記載された発明を初めて裏付けるものではないものと認められる。
　したがって、本件発明１ないし４は、本件基礎出願明細書に記載されているものと認められるから、本件発明１ないし４に係る優先日は、本件基礎出願の日、昭和６３年１２月２８日となる。
　そして、当審が通知した取消理由に引用された出願（ＰＣＴ／ＪＰ９０／００３５０（国際公開第９０／１１０６８号パンフレット）、甲第１号証）は、出願の優先日が平成１年３月１７日であるから、本件発明１ないし４の出願に係る優先日以後の日を優先日とする出願となる。
　したがって、本件発明１ないし４に係る出願は、当審が通知した取消理由に引用された上記出願に対して、先に出願されたものであるから、特許法第２９条の２の規定に該当しない。
（２）特許法第２９条第２項違反について
［本件発明１について］
　本件発明１と上記刊行物２に記載された発明とを対比すると、エアゾール用含水原液とエアゾール用噴射剤からなるエアゾール用組成物であって、水を５０重量％以上含むエアゾール用含水原液と、沸点が５℃以下のエアゾール噴射剤からなるエアゾール用組成物であり、エアゾール噴射剤が含水原液に分散されている点で、両者は一致するが、本件発明１では、（ｉ）沸点が５℃以下のエアゾール用噴射剤がジメチルエーテル、プロパン、イソブタン、ノルマルブタンまたはこれらの混合物であり、（ii）塗布面に霧状で噴射したとき、噴射剤の気化熱によって冷却された含水原液の一部又はほとんど全部が塗布面上に氷結状あるいは積雪状に付着するのに対し、刊行物２記載の発明は、（ｉ）沸点が５℃以下のエアゾール用噴射剤がジクロロテトラフルオロエタンを主成分とするものであって、（ii）泡状または霧状に噴射したときに破泡によってパチパチと音をたてるフォームを形成する点で相違する。
　その相違する点を検討する。
　（ｉ）平成１２年１１月２１日付けの特許異議意見書第６〜７頁の表に記載された沸点、蒸発潜熱を参酌すると、本件発明１で用いるジメチルエーテル（沸点−２４．８℃、蒸発潜熱１１１．３ｃａｌ／ｇ）、プロパン（沸点−４２．１℃、蒸発潜熱１０１．８ｃａｌ／ｇ）、イソブタン（沸点−１１．７℃、蒸発潜熱８７．６ｃａｌ／ｇ）、ノルマルブタン（沸点−０．５℃、蒸発潜熱９２．１ｃａｌ／ｇ）からなる噴射剤は、その気化熱によって冷却された含水原液の一部またはほとんど全部が塗布面上に氷結状あるいは積雪状に付着するように、すなわち含水原液が凝固点以下となるように、沸点がより低く、蒸発潜熱が高いものであり、これらを単独に使用するか、または適宜組合わせることにより、噴射剤である液化ガスが気化すると、気化熱により乳化、分散している原液を冷却し、最大で噴射剤の沸点まで冷却が可能であるのに対し、刊行物２に記載された噴射剤のジクロロテトラフルオロエタン（Ｆ１１４）は沸点３．８℃、蒸発潜熱３２．５ｃａｌ／ｇであり、特に蒸発潜熱が低いため、これを主成分とした場合、仮に霧状で噴射しても蒸発潜熱および沸点の点で氷結状または積雪状形態とすることができないものと認められる。
　それにより、（ii）本件発明１では、塗布面に霧状で噴射したとき、噴射剤の気化熱によって冷却された含水原液の一部又はほとんど全部が塗布面上に氷結状あるいは積雪状に付着する機能を有するのに対し、刊行物２に記載された発明では、本件発明１と異なる、泡状または霧状に噴射したときに破泡によってパチパチと音をたてるフォームを形成する機能を有するものと認められる。
　してみれば、本件第１発明で、沸点が低くかつ蒸発潜熱がより大きい、噴射剤「ジメチルエーテル、プロパン、イソブタン、ノルマルブタンまたはこれらの混合物」を採用することにより、刊行物２に記載されたエアゾール組成物とは別異の（ii）「塗布面に霧状で噴射したとき、噴射剤の気化熱によって冷却された含水原液の一部又はほとんど全部が塗布面上に氷結状あるいは積雪状に付着する」機能が付与されたことが明らかに認められるし、また、本件発明１のエアゾール組成物は、人体等の各部に噴射したとき、内容原液を氷結した状態又は積雪状で付着させることができるので、液だれ等をおこさず目的とする特定部位に、あるいは特定部位に長時間冷感その他の効果を与えたり、冷却効果を発揮し得る効果は、明細書に記載されたとおり格別なものと認められるから、本件発明１が刊行物２に記載された発明に基づき当業者が容易に発明をすることができたものとは認められない。
［本件発明２ないし４について］
　本件発明２ないし４は、本件発明１の構成の一部である噴射助剤、含水原液のアルコール含有量をさらに限定したものであるから、本件発明１と同じ理由により、本件発明１ないし４が刊行物２に記載された発明に基づき、当業者が容易に発明をすることができたものとは認められない。
（３）特許法第３６条第４項違反について
　本件発明１ないし４は、本件特許明細書の発明の詳細な説明に記載の条件の下に、噴射剤としてジメチルエーテル、プロパン、イソブタン、ノルマルブタンまたはこれらの混合物を適用するだけで、過度の試行錯誤を要することなく、当業者が容易に実施できるものと認められる。そして、本件特許明細書の実施例には、特に処方剤６〜８として明確に示されている。
　異議申立人は、含水原液が塗布面上に氷結状または積雪状に付着するかどうかは、噴射剤の状態、噴射剤の種類、配合割合等に大きく依存し、極めて予測可能性が低い、と主張している（特許異議申立書第２４〜２５頁）が、本件特許明細書に記載された条件〔原液の含水量、原液と噴射剤、又は噴射剤・噴射助剤、の比率、原液と噴射剤の乳化（分散）等〕をそのまま、ＤＭＥ、ＬＰＧ等に適用するだけで、過度の実験を要することなく同様にかつ容易に当業者は本件特許発明を実施することができるし、また同様に本件特許発明の作用効果を容易に達成できるものと認められる。
　噴射剤或いは噴射剤と噴射助剤の組合せの選び方は、本件特許明細書（第３欄第４２行〜第５欄４７行）にフロンとフロン、フロンとジメチルエーテル、フロンとＬＰＧの例が挙げられているが、噴射剤については、沸点（５℃以下）がより低く、蒸発潜熱がより大きいものが水の氷結を可能にするが、常温にて霧状に噴射されるとき内容物が冷却されて塗布面上で積雪状、樹氷状、シャーベット状などの氷結状態とし得る、すなわち原液を凝固点以下とし得る、噴射剤、その組合せが選択される。このように原液の氷結を可能にするならば、噴射剤は単独でもよいし、或いは組合せでもよい。
　また、氷結状とするためには、噴射剤と原液は乳化（分散）状態を形成する必要がある。乳化（分散）のためには界面活性剤の使用や、界面活性剤と水溶性シリコーンの併用がよいことは、本件特許明細書第５欄４８行〜第６欄４４行等に記載されている。これら本件特許明細書に記載される条件をそのまま使用するだけで本件特許発明を容易に実施し得るものと認められる。
　したがって、本件特許明細書は平成２年法改正前の特許法第３６条第４項に規定する要件を満たしているものと認められる。
７．むすび
　以上のとおりであるから、特許異議申立ての理由及び証拠によっては、本件発明１ないし４に係る特許を取り消すことはできない。
　また、他に本件発明１ないし４に係る特許を取り消すべき理由を発見しない。
　よって、結論のとおり審決する。
【異議決定日】
平成１３年１０月１１日（２００１．１０．１１）
【訂正の要旨】
　訂正の要旨
（ａ）特許請求の範囲の記載について、請求項２を削除する。
（ｂ）請求項４の記載について、「請求項３に記載」とあるのを「請求項２に記載」と訂正すると共に、請求項３ないし５を順次繰り上げて、請求項２ないし４と訂正する。
（５４）【発明の名称】
エアゾール用組成物
（５７）【特許請求の範囲】
　【請求項１】　エアゾール用含水原液とエアゾール用噴射剤とからなるエアゾール用組成物であって、水を５０重量％以上含むエアゾール用含水原液５〜３５重量％と、沸点が５℃以下のエアゾール用噴射剤又はエアゾール用噴射剤と噴射助剤の混合物６５〜９５重量％とからなり、該沸点が５℃以下のエアゾール用噴射剤がジメチルエーテル、プロパン、イソブタン、ノルマルブタンまたはこれらの混合物であり、該エアゾール用噴射剤又は該エアゾール用噴射剤と噴射助剤の混合物の一部あるいはほとんど全部が該エアゾール用含水原液に乳化あるいは分散されており、塗布面に霧状で噴射したとき、噴射剤の気化熱によって冷却された含水原液の一部又はほとんど全部が塗布面上に氷結状あるいは積雪状に付着する、エアゾール用組成物。
　【請求項２】　噴射助剤が、沸点が５℃を越える比較的低沸点の溶剤であることを特徴とする請求項１に記載のエアゾール用組成物。
　【請求項３】　噴射助剤がイソペンタン、ノルマルペンタン、ヘキサン、又はこれらの混合物であることを特徴とする請求項２に記載のエアゾール用組成物。
　【請求項４】　エアゾール用含水原液が、４０％以下のアルコールを含有することを特徴とする請求項１に記載のエアゾール用組成物。
【発明の詳細な説明】
〔産業上の利用分野〕
　本発明は、エアゾール用組成物に関する。
〔従来の技術〕
　従来からのエアゾール製品としては、空間用殺虫剤などのように有効成分を霧状に噴射するもの、ヘアスタイリングムフォームなどのように有効成分をフォームとして噴射するもの、制汗剤などのように有効成分の粉末を噴射剤とともに噴射するもの、また例えば特開昭６１−６８４０６号に示されるような噴射剤が気化するときに気化熱をうばい頭皮等に噴射したとき頭皮を冷却して物理的に刺激をする養毛剤等が上市され開発されている。
〔発明が解決しようとする課題〕
　しかしながら上記のようなエアゾール製品は塗布面に微粒子状、泡状、あるいは噴射剤を若干含む液体状で付着し、噴射剤がすばやく気化しあとに原液が残るという形態のもので、塗布面を冷却するという目的のエアゾール製品ではない。また上記した養毛剤のように液化ガスの蒸発潜熱を利用し頭皮に冷感を与え物理的に刺激を与えるエアゾール製品もあるが、従来のエアゾール製品は低沸点の溶剤を多く含むために塗布面で液たれを起したり、原液が流れやすいために特定の部位を冷却したいような場合あるいは少し長時間特定部位に冷感等を与えたいような場合は不向きのエアゾール製品であった。
　本発明の目的は、塗布面での液たれ等を生じず、特定の部位に長時間冷感等を与えるのに適したエアゾール用組成物を提供することにある。
〔課題を解決するための手段〕
　本発明は、上記目的を達成するために、エアゾール用含水原液とエアゾール用噴射剤からなるエアゾール用組成物において、霧状に噴射したとき、噴射剤の気化熱によって冷却された含水原液の一部またはほとんど全部が塗布面上に氷結状あるいは積雪状に付着する性状を有するようにしたことを特徴とするものである。
　本発明エアゾール用組成物の好ましい具体例としては、水を５０重量％以上含むエアゾール用含水原液を５〜３５重量％と、沸点が５℃以下のエアゾール用噴射剤又はエアゾール用噴射剤と噴射助剤の混合物６５〜９５重量％とからなり、該噴射剤又は該混合物の一部あるいはほとんど全部を前記エアゾール用含水原液に乳化あるいは分散させ、上記のような性状を有するようにしたエアゾール用組成物が挙げられる。
　すなわち、本発明は、エアゾール用含水原液とエアゾール用噴射剤とからなるエアゾール用組成物であって、水を５０重量％以上含むエアゾール用含水原液５〜３５重量％と、沸点が５℃以下のエアゾール用噴射剤又はエアゾール用噴射剤と噴射助剤の混合物６５〜９５重量％とからなり、該沸点が５℃以下のエアゾール用噴射剤がジメチルエーテル、プロパン、イソブタン、ノルマルブタンまたはこれらの混合物であり、該エアゾール用噴射剤又は該エアゾール用噴射剤と噴射助剤の混合物の一部あるいはほとんど全部が該エアゾール用含水原液に乳化あるいは分散されており、塗布面に霧状で噴射したとき、噴射剤の気化熱によって冷却された含水原液の一部又はほとんど全部が塗布面上に氷結状あるいは積雪状に付着する、エアゾール用組成物を提供する。
　上記の沸点が５℃以下の噴射剤としては、ジクロロジフルオロメタン（以下Ｆ１２と記す）、ジフルオロモノクロロエタン（以下Ｆ１４２ｂと記す）、モノクロロジフルオロメタン（以下Ｆ２２と記す）、ジクロロテトラフルオロエタン（以下Ｆ１１４と記す）、テトラフルオロエタン（以下Ｆ１３４ａと記す）、ジメチルエーテル（以下ＤＭＥと記す）又は液化石油ガス（以下ＬＰＧと記す）（プロパン、イソブタン、ノルマルブタンを主成分とする）又はこれらの混合物等が例示される。また特に好ましい噴射剤としてＤＭＥを２０〜５５重量％含む液化石油ガスとの混合噴射剤や純度９５重量％以上のイソブタン（通常不純物としてはプロパン、ノルマルブタンがほとんどである）があげられる。
　ここでいう噴射助剤とは沸点が５℃を越える比較的低沸点の溶剤を意味し、具体的にはトリクロロモノフルオロメタン（以下Ｆ１１と記す）、トリクロロトリフルオロエタン（以下Ｆ１１３と記す）、ジクロロトリフルオロエタン（以下Ｆ１２３と記す）、イソペンタン、ノルマルペンタン、ヘキサン又はこれらの混合物で例示される。
　上に例示した噴射剤又は噴射剤と噴射助剤の組み合わせを適宜選び、原液中に噴射剤又は噴射剤と噴射助剤の一部又は全部を乳化（分散）させることにより、噴射したときに塗布面で液たれを起こさず氷結状あるいは積雪状に塗布することが可能な組成物を製造することができる。ここにいう氷結状あるいは積雪状とは本願のエアゾール用組成物を例えば手のこうに噴射したとき、外観的には塗布面で水が氷になる寸前の状態あるいは雪を手のこうにのせた状態を意味し、感覚的には０℃程度の水、氷、雪、これらの混合物を手のこうに乗せた時、局部的に冷感を感じる状態をいうのである。
　以下に噴射剤と噴射助剤の好ましい組み合わせの具体例を示す。
　Ｆ１１４をベースにし、沸点のより低い蒸発潜熱の大きいＦ１２でＦ１１４の一部を置きかえると、この場合、Ｆ１２の蒸散が速く内容物は、ボタン噴口を出るや氷結してしまいボタン詰りを生じる（過冷却）。そこで沸点が段階的に異なり、しかも一液状の乳化状態をこわさないＦ１２／Ｆ１１４／イソペンタンの組み合わせを採用して冷却速度をゆっくりさせた（ソフト冷却）。
　こうすることによって、ボタンを出る時は凍ることなく、目的とする対象面に氷結状に塗布することを可能とした。
　一方、Ｆ１１４の一部をＤＭＥで置き換えた場合は、ＤＭＥの沸点（−２５℃）蒸発熱１１２ｃａｌ／ｇであり、熱力学的には氷結させやすいように考えられるが、ＤＭＥの場合、含水原液との溶解性が高く、気化速度が遅く、ガス離れがおそくなり、対象の塗布面までＤＭＥが混入しているため、塗布面に付着後内容物がみずっぽい氷結状に変化するという特長を有する。場合によっては、強い冷感のあるフォーム状シャーベットとなる。もちろん、上記の各一液状の乳化原液をつめたエアゾール製品に圧縮ガスのＣＯ２，Ｎ２，ａｉｒ等を混入しても何ら問題はない。また、噴射剤としてモノクロロジフルオロエタン（Ｆ１４２ｂ）を単独で使用できる。これは、いわゆるフロンガスのように難分解性ではないので大気圏のオゾン層の破壊の原因になることがほとんどなく、又、ＬＰＧやＤＭＥと比較しても、燃性が低く使用上の安全性はかなり高いのである。Ｆ１４２ｂを用いて乳化させたエアゾール用組成物を噴射した場合は、含水原液が適度に冷却され、氷結状あるいは積雪状、より具体的には、シャーベット状又は、樹氷又は雪原状の塗布面を形成することができる。
　この場合の含水原液とＦ１４２ｂの割合は、１０／９０〜２０／８０重量部が好適である。含水原液の割合が１０重量％より低いと有効成分の溶解量が限られたり、乳化、分散させにくくなる。含水原液が２０重量％より高いとＦ１　Ｆ１４２ｂによって原液を氷結しきれなくなる。そこで含水原液を多くしたい場合はＦ１４２ｂの一部を沸点がより低く、蒸発潜熱の大きいＬＰＧ、ＤＭＥ、Ｆ１２等で置きかえることによって、原液を氷結させるようにすることもできる。
　Ｆ１４２ｂ（沸点−９℃）と近沸点を持ったイソブタン（沸点−１１．７℃）を噴射剤に用いても界面活性剤を適宜選ぶことによりＦ１４２ｂと同様、良好なエアゾール用組成物を作ることができる。
　また、ＬＰＧを用いて本願発明のエアゾール用組成物を作ることも可能である。沸点の異なるプロパン、イソブタン、ノルマルブタンを適宜組合せてさらに必要であればイソペンタン、ノルマルペンタンを加えることにより、塗布面で積雪状となるエアゾール用組成物を作ることができる。
　さらにＤＭＥをＬＰＧと混合し、噴射剤として用いても本願発明のエアゾール用組成物を容易に作ることができる。ＤＭＥは水に溶解する性質を有するので、特にＤＭＥを混合ガス中２０〜５５重量％範囲で用いると塗布面に付着後、水ぽい積雪状のシャーベットを形成する。ＤＭＥが２０重量％以下の場合は、上記のＤＭＥが水に溶解することによる特徴を出しずらくＬＰＧ単独にてエアゾール用組成物を作る場合と大差なく５５重量％を超えると含水原液を溶解させるため、噴射した場合微細な霧状となり付着面にシャーベットを形成することがむずかしくなる。
　本発明におけるエアゾール用含水原液は、用途に応じた有効成分と界面活性剤を含み、その他必要に応じアルコール、水溶性シリコンオイルを含むことができる。
　上記原液の具体例としては、例えばアルコール０〜６０重量％水溶液１００重量部に対して界面活性剤０．０１〜１０重量部及び／又は水溶性シリコンオイル０．０１〜１０重量部及び／又は粉末０．１〜５０重量部及び有効成分０．０１〜５０重量部を添加したものが挙げられる。
　原液には、アルコールを用いても用いなくても良いがエアゾール用組成物の用途として塗布したあとのべたつき感を嫌う用途に用いる場合は６０重量％以下、特に４０重量％以下のアルコールを添加するとよい。その場合アルコール１０〜４０重量％水溶液を用いるのが特に好ましい。
　アルコールは水溶性成分および水に不溶の種々の有機化合物に対して可溶性を示すので、これら両成分の可溶化剤もしくは分散剤として用いられるが、アルコールはその沸点は低く気化しやすいので、速乾性を有するとか清涼感をうるための成分としても有用である。
　界面活性剤は、原液と噴射剤とを乳化あるいは分散させるための成分であり、例えばポリオキシエチレンポリオキシプロピレンアルキルエーテル、ポリオキシエチレンアルキルフェニルエーテル、ポリオキシエチレンヒマシ油誘導体などの界面活性剤などが挙げられるが、乳化あるいは分散が可能なものであれば、これらに限定されるものではない。
　該界面活性剤は、アルコール水溶液１００部（重量部、以下部とあるのは重量部を意味する）に対して０．０１〜１０部、好ましくは、０．１〜５部添加して用いる。添加量は、０．０１部未満の場合、原液と噴射剤とを乳化あるいは分散させるためには、強力な振盪もしくは長時間の振盪が必要となり、また１０部をこえると界面活性剤自体のべたつきによって不快感を与えることになるので好ましくない。
　水溶性シリコンは、前記界面活性剤と併用することで原液と噴射剤とを分散（乳化）させるための成分であるとともに、前記界面活性剤によるべタツキ感を防止し、皮膚になめらかな感触を与えると同時に保湿性も与えるものである。具体例としては疎水基がジメチルシリコーンオイルで親水基がポリエーテルで構成されているジメチルポリシロキサンポリエチレングリコール共重合体などがある。この水溶性シリコンはアルコール水溶液１００部に対して０．０１〜２０部、好ましくは０．１〜１０部添加して用いる。添加量が０．０１部未満の場合は原液と噴射剤の乳濁液を作るための界面活性剤の補助的役割をはたせず、また２０部を超えると塗布面でべたつき感が強くなり好ましくない。
　粉末は、含水原液及び噴射剤に溶解しにくい粉末であれば使用しうるが、特に、賦形効果のあるタルク、ナイロン粉末などを用いるのが好ましい。該粉末はアルコール水溶液１００部に対して０．１〜５０部、好ましくは１〜３０部添加して用いる。添加量が０．１部未満の場合は原液と噴射剤を振盪せしめることにより乳濁液をうるための効果が小さく、５０部をこえるとエアゾール用組成物を皮膚などに噴射し乾燥したあとに、皮膚上に粉末がしみとして残るため好ましくない。たとえばタルクを上述したような範囲で用いて原液と噴射剤を振盪せしめることによりエアゾール用組成物をうる場合、界面活性剤と同等の効果を有するかあるいは界面活性剤の効果を高め、場合によっては界面活性剤を用いなくても簡単な振盪でエアゾール用組成物をうることができる。
　本発明に用いる有効成分は種々の用途に応じた成分が選定され医薬品、医薬部外品、化粧品、一般雑貨品等を作ることができ、たとえば、虫さされ、かゆみ止め有効成分、日焼、雪焼け鎮静成分、アフターシェーブローション有効成分、やけど治療有効成分、アストリンゼント有効成分、消炎鎮痛剤有効成分、リフレッシュローション有効成分、コロン有効成分、水虫治療薬有効成分、シモヤケ治療有効成分、円形脱毛薬、養毛剤、制汗剤などがあげられるが、これらのものに限定されず、種々の有効成分を用いることができる。
　該有効成分は、アルコール水溶液１００部に対して０．１〜５０部、好ましくは１〜３０部添加して用いる。添加量は０．１部未満の場合、目的とする用途に有効でなくなり、また５０部をこえると有効成分の分散が困難となるので、好ましくない。
　上記のようにアルコールを０〜６０重量％含む水溶液に有効成分、界面活性剤及び必要に応じ水溶性シリコン、粉末を添加することにより、本発明に使用できる原液が得られるが、上記成分の他に有効成分によっては乳化助剤として適宜用途に応じて、たとえば、ノルマルプロピルアルコール、ノルマルブチルアルコールなどの１価アルコールおよびこれらの変性アルコール；プロピレングリコール、エチレングリコール、ジエチレングリコール、トリエチレングリコール、グリセリンなどの多価アルコール；アセトン、メチルエチルケトン、メチルイソブチルケトンなどのケトン類；ジエチルエーテル、エチレングリコールモノエチルエーテルなどのエーテル類；イソプロピルミリステート、イソプロピルパルミテート、ブチルミリステート、ヒマシ油などのエステル類、このほか流動パラフィン、ケロシン、キシレン、灯油などを添加して用いてもよい。
　次いで、含水原液と噴射剤又は噴射剤と噴射助剤の混合物とを調製することにより本発明のエアゾール用組成物が得られる。
　原液と、噴射剤又は噴射剤と噴射助剤の混合物の比率は、５／９５〜３５／６５重量比の範囲で用いることができ、好ましくは１０／９０〜２５／７５である。該混合比が５／９５以下の場合、原液中の有効成分の含有量が限られ、３５／６５以上の場合、含水原液の割合が多くなり低沸点の噴射剤、即ち、蒸気圧の高い噴射剤の割合を多くする必要が生じるとともに氷結状あるいは積雪状の塗布面の形成が困難になってくるからである。
　本発明のエアゾール用組成物を例えば人体用品に使用する場合、簡単に内容原液を氷結した状態で人体の各部、頭、手のひら、手の指、手の甲、足のうら等に付着させることができるので、内容物中に有する有効成分による化学的効果が発揮される前に、水虫治療や、しもやけのかゆみ、虫さされのかゆみなどに鎮痒効果を物理的に付加することができるという効果を奏する。
　また、日焼け、雪焼けによる皮膚のほてりを鎮めるカラミンローション等においては、鎮静効果や、清涼感を付加するという効果を奏する。また、アストリンゼントやプリシェーブ（電気カミソリ使用前にくせひげを立たす）、制汗剤等いわゆる皮膚の化学的なタンパク質の収れんを目的とした製品に用いた場合、物理的収れん効果を付加するという効果を奏する。
　さらに、最近の養毛、育毛の研究において、頭皮への冷感刺激効果が認められてきているといわれるが、育毛剤や、神経性の円形脱毛症の治療においては、簡便な冷感刺激効果を付加された治療剤の提供が考えられる。
　さらに、手の平に樹氷状や雪原状に塗布できるといった従来なかった吐出物に関する造形性や、雪原イメージといった化粧上又は、いわゆる遊び感覚上独特な視覚効果を奏する。
〔実施例〕
　処方剤１　　虫さされかゆみ止め
　　ジフェンヒドラミン　　　　　　　　　　　　　　　　　　　　　０．１ｇ
　　１−メントール　　　　　　　　　　　　　　　　　　　　　　　０．４ｇ
　　ＤＬ−カンフル　　　　　　　　　　　　　　　　　　　　　　　０．５ｇ
　　サリチル酸メチル　　　　　　　　　　　　　　　　　　　　　　０．６ｇ
　　水溶性シリコンオイル　ＳＨ３７７１　　　　　　　　　　　　　０．３ｇ
　　（トーレシリコン（株）製）
　　界面活性剤　ＰＢＣ‐４４　　　　　　　　　　　　　　　　　　０．６ｇ
　　（日光ケミカルズ（株）製）
　　イソプロピルミリステート　　　　　　　　　　　　　　　　　　０．３ｇ
　　（乳化助剤）
　　タルク　　　　　　　　　　　　　　　　　　　　　　　　　　　０．４ｇ
　　精製水　　　　　　　　　　　　　　　　　　　　　　　　　　１４．８ｇ　　
　　原液　　　　　　　　　　　　　　　　　　　　　　　　　　　１８．０ｇ
　　１４２ｂ　　　　　　　　　　　　　　　　　　　　　　　　　８２．０ｇ
　処方剤２　　カラミンローション
　　（日焼け、雪焼けした肌のほてりの鎮静）
　　カラミン　　　　　　　　　　　　　　　　　　　　　　　　　　０．１ｇ
　　カオリン　　　　　　　　　　　　　　　　　　　　　　　　　　０．１ｇ
　　グリセリン　　　　　　　　　　　　　　　　　　　　　　　　　０．６ｇ
　　カンファー　　　　　　　　　　　　　　　　　　　　　　　　　０．１ｇ
　　香料　　　　　　　　　　　　　　　　　　　　　　　　　　　　０．１ｇ
　　（小川香料（株）製　６Ｅ‐５６８８８）
　　界面活性剤　ＨＣＯ−６０　　　　　　　　　　　　　　　　　　０．５ｇ
　　（日光ケミカルズ（株）製）
　　エタノール　　　　　　　　　　　　　　　　　　　　　　　　　１．７ｇ
　　（９５％未変性エタノール）
　　精製水　　　　　　　　　　　　　　　　　　　　　　　　　　１１．８ｇ　　
　　原液　　　　　　　　　　　　　　　　　　　　　　　　　　　１５．０ｇ
　　Ｆ１１４／ＤＭＥ（８０／２０）　　　　　　　　　　　　　　８５．０ｇ
　　カラミン（粧原基）主成分酸化亜鉛
　処方剤３　　アフターシェーブローション
　　１−メントール　　　　　　　　　　　　　　　　　　　　　　　０．１ｇ
　　香料　　　　　　　　　　　　　　　　　　　　　　　　　　　　０．２ｇ
　　（小川香料（株）製　６Ｅ‐５６８８７）
　　イソプロピルミリステート　　　　　　　　　　　　　　　　　　０．２ｇ
　　界面活性剤　ＰＢＣ‐４４　　　　　　　　　　　　　　　　　　０．４ｇ
　　（日光ケミカルズ（株）製）
　　水溶性シリコン　ＳＨ３７７１　　　　　　　　　　　　　　　　０．１ｇ
　　（トーレシリコン（株）製）
　　アルコール　　　　　　　　　　　　　　　　　　　　　　　　　１．７ｇ
　　（９５％　ブルシン変性アルコール）
　　精製水　　　　　　　　　　　　　　　　　　　　　　　　　　１１．８ｇ　　
　　原液　　　　　　　　　　　　　　　　　　　　　　　　　　　１４．５ｇ
　　Ｆ１２／Ｆ１１４／イソペンタン（６０／２０／２０）　　　　８５．５ｇ
　処方剤４　　養毛剤
　　センブリ軟エキス　　　　　　　　　　　　　　　　　　　　　　１．１ｇ
　　界面活性剤　ＨＣＯ‐６０　　　　　　　　　　　　　　　　　　０．６ｇ
　　（日光ケミカルズ（株）製）
　　エタノール　　　　　　　　　　　　　　　　　　　　　　　　　１．５ｇ
　　（９９％未変性エタノール）
　　精製水　　　　　　　　　　　　　　　　　　　　　　　　　　１６．８ｇ　　
　　原液　　　　　　　　　　　　　　　　　　　　　　　　　　　２０．０ｇ
　　Ｆ１２／Ｆ１４２ｂ／イソペンタン（５０／３０／２０）　　　８０．０ｇ
　処方剤５　　水虫治療薬
　　トルナフテート　　　　　　　　　　　　　　　　　　　　　　　０．２ｇ
　　サリチル酸　　　　　　　　　　　　　　　　　　　　　　　　　０．２ｇ
　　メチルエチルケトン　　　　　　　　　　　　　　　　　　　　　７．０ｇ
　　界面活性剤　ＰＢＣ−４４　　　　　　　　　　　　　　　　　　０．８ｇ
　　（日光ケミカルズ（株）製）
　　タルク　　　　　　　　　　　　　　　　　　　　　　　　　　　０．８ｇ
　　精製水　　　　　　　　　　　　　　　　　　　　　　　　　　１６．０ｇ　　
　　原液　　　　　　　　　　　　　　　　　　　　　　　　　　　２５．０ｇ
　　Ｆ２２／Ｆ１４２ｂ／ノルマルペンタン（１０／７０／２０）　７５．０ｇ
　処方剤６　　クールスプレー
　　ジフェンヒドラミン　　　　　　　　　　　　　　　　　　　　０．０５ｇ
　　タルク　　　　　　　　　　　　　　　　　　　　　　　　　　０．４５ｇ
　　界面活性剤　ＰＢＣ−４４　　　　　　　　　　　　　　　　　０．３０ｇ
　　（日光ケミカルズ（株）製）
　　香料　　　　　　　　　　　　　　　　　　　　　　　　　　　０．０１ｇ
　　（小川香料（株）製　６Ｅ‐５１７５５）
　　精製水　　　　　　　　　　　　　　　　　　　　　　　　　２９．１９ｇ　　
　　　　原液合計　　　　　　　　　　　　　　　　　　　　　　　３０．０ｇ
　　噴射助剤イソペンタン　　　　　　　　　　　　　　　　　　　２０．０ｇ
　　噴射剤　プロパン　　　　　　　　　　　　　　　　　　　　　２０．０ｇ
　　　　　　イソブタン　　　　　　　　　　　　　　　　　　　　　７．５ｇ
　　　　　　ノルマルブタン　　　　　　　　　　　　　　　　　　２２．５ｇ　　
　　　　混合物合計　　　　　　　　　　　　　　　　　　　　　　７０．０ｇ
　　原液　　　　　　　　　　　　　　　　　　　　　　　　　　　３０．０ｇ
　　混合物　　　　　　　　　　　　　　　　　　　　　　　　　　７０．０ｇ
　処方剤７　　かゆみ止め
　　ジフェンヒドラミン　　　　　　　　　　　　　　　　　　　　　０．１ｇ
　　１−メントール　　　　　　　　　　　　　　　　　　　　　　　０．３ｇ
　　ｄ１−カンフル　　　　　　　　　　　　　　　　　　　　　　　０．３ｇ
　　タルク　　　　　　　　　　　　　　　　　　　　　　　　　　　０．４ｇ
　　界面活性剤　ＨＣＯ−６０　　　　　　　　　　　　　　　　　　０．７ｇ
　　（日光ケミカルズ（株）製）
　　精製水　　　　　　　　　　　　　　　　　　　　　　　　　　１８．２ｇ　　
　　　　原液合計　　　　　　　　　　　　　　　　　　　　　　　２０．０ｇ
　　ＤＭＥ　　　　　　　　　　　　　　　　　　　　　　　　　　３０．０ｇ
　　ノルマルブタン　　　　　　　　　　　　　　　　　　　　　　３７．５ｇ
　　イソブタン　　　　　　　　　　　　　　　　　　　　　　　　１２．５ｇ　　
　　　　噴射剤合計　　　　　　　　　　　　　　　　　　　　　　８０．０ｇ
　　上記原液　　　　　　　　　　　　　　　　　　　　　　　　　２０．０ｇ
　　上記噴射剤　　　　　　　　　　　　　　　　　　　　　　　　８０．０ｇ
　処方剤８　　アイススプレー
　　１−メントール　　　　　　　　　　　　　　　　　　　　　　　０．２ｇ
　　タルク　　　　　　　　　　　　　　　　　　　　　　　　　　　０．４ｇ
　　界面活性剤　ＨＣＯ−６０　　　　　　　　　　　　　　　　　　０．８ｇ
　　（日光ケミカルズ（株）製）
　　香料　　　　　　　　　　　　　　　　　　　　　　　　　　　０．０１ｇ
　　（山本香料（株）製　７４４２／ＯＡ）
　　精製水　　　　　　　　　　　　　　　　　　　　　　　　　２３．５９ｇ　　
　　　　原液合計　　　　　　　　　　　　　　　　　　　　　　　２５．０ｇ
　　上記原液　　　　　　　　　　　　　　　　　　　　　　　　　２５．０ｇ
　　噴射剤　イソブタン　　　　　　　　　　　　　　　　　　　　７５．０ｇ
〔発明の効果〕
　本発明のエアゾール用組成物は、人体等の各部に噴射したとき内容原液を氷結した状態又は積雪状で付着させることができるので、液だれ等をおこさず目的とする特定部位に、あるいは特定部位に長時間冷感その他の効果を与えたり、冷却効果を発揮しうる。
　また、塗布面での樹氷状、あるいは雪原状の造形性及び色彩を与え、化粧上又は遊び感覚上独特な視覚効果をも奏する。